(57)【要約】【課題】ブックカバーなどの折線加工がされた用紙を印刷すること。【解決手段】折線加工された用紙を印刷する際に、用紙の折線加工に関する情報を取得する取得工程（ステップＳ４０１、ステップＳ５０１）と、用紙に対して、印刷を開始するとともに、前記取得工程によって取得された情報に基づいて、所定の折線加工された位置（以下「第１の位置」という）で印刷を停止する印刷工程（ステップＳ４０４）と、用紙を排紙する排紙工程（ステップＳ４０５）と、を含む。【選択図】        図４
2006227968.tif 000002
【特許請求の範囲】
【請求項１】
折線加工された用紙を印刷する際に、
前記用紙の折線加工に関する情報を取得する取得工程と、
前記用紙に対して、印刷を開始するとともに、前記取得工程によって取得された情報に
基づいて、所定の折線加工された位置（以下「第１の位置」という）で前記印刷を停止す
る印刷工程と、
前記用紙を排紙する排紙工程と、
を含んだことを特徴とする印刷方法。
【請求項２】
前記折線加工された用紙は、左カバー見返し、左表紙、背表紙、右表紙および右カバー
見返しからなる印刷物のカバーであり、
前記第１の位置は、前記用紙の前記右（または左）表紙と前記右（または左）カバー見
返しとの境界であることを特徴とする請求項１に記載の印刷方法。
【請求項３】
前記取得工程によって取得された情報に基づいて、所定の折線加工された位置（以下「
第２の位置」という）まで紙送りをする紙送り工程を含み、
前記印刷工程は、前記紙送り工程による紙送り後に、印刷を開始することを特徴とする
請求項１または２に記載の印刷方法。
【請求項４】
前記折線加工された用紙は、左カバー見返し、左表紙、背表紙、右表紙および右カバー
見返しからなる印刷物のカバーであり、
前記第２の位置は、前記用紙の左（または右）カバー見返しと左（または右）表紙との
境界であることを特徴とする請求項３に記載の印刷方法。
【請求項５】
請求項１〜４のいずれか一つに記載の印刷方法をコンピュータに実行させることを特徴
とする印刷プログラム。
【発明の詳細な説明】
【技術分野】
【０００１】
本発明は、折線加工された用紙を印刷する印刷方法および印刷プログラムに関する。
【背景技術】
【０００２】
近年、印刷の多様化や印刷画質の向上などによって、オリジナルのブックカバーを製作
したいとの要望がある。通常、ブックカバーは、本などの印刷物を覆うため、強い耐久性
が要求され、そのため、その紙質は厚めでかつ折り曲げに対する反発力が強い、いわゆる
こしのあるものが好ましい。したがって、ブックカバー用の用紙は、印刷物の大きさや形
状に合わせてあらかじめ折曲加工を施すことで、簡易にかつ見た目にも美しく印刷物に装
着することができる。
【０００３】
従来、プリンタは、副走査方向へ紙送りをしながら主走査方向にヘッドを移動させて印
刷するため、紙送り機構を備えているのが一般的である。紙送り機構は通常、複数のロー
ラなどの回転によって紙を副走査方向へ送り出すため、印刷の対象となる用紙は平らでか
つ折り目などがないものが望ましい。したがって、ブックカバーなどのあらかじめ折線加
工された用紙に印刷することは想定していなかった。
【発明の開示】
【発明が解決しようとする課題】
【０００４】
しかしながら、上記のようなオリジナルのブックカバーを上記従来のプリンタで印刷す
る際に、通常の規定用紙に比べて、副走査方向に対する印刷領域が長くなりすぎるため、
プリンタによっては、印刷できない機種が存在するという問題点があった。すなわち、ロ
ール紙のように長尺ではあるが一端をロールで支えている場合は別として、ブックカバー
用紙のような長尺の用紙であって両端のいずれにおいても支えがないものでは、長尺ゆえ
に用紙後端部で印刷時にスキューが発生してしまう。そのため、印刷品質の劣化を防止す
ること、あるいは無用な紙詰まりを防止することを目的として、印刷を禁止している場合
がある。また、データ量が増大するため、メモリ容量の不足が生じてしまう場合もある。
このように、元々の規格として規定用紙をはるかに越える領域への印刷を禁止している機
種が存在すると考えられる。
【０００５】
この発明は、上記問題点を解決するためになされたものであり、折線加工がされた用紙
を印刷する印刷方法および印刷プログラムを提供することを目的とする。
【課題を解決するための手段】
【０００６】
上記の課題を解決するために、この発明にかかる印刷方法は、折線加工された用紙を印
刷する際に、前記用紙の折線加工に関する情報を取得する取得工程と、前記用紙に対して
、印刷を開始するとともに、前記取得工程によって取得された情報に基づいて、所定の折
線加工された位置（以下「第１の位置」という）で前記印刷を停止する印刷工程と、前記
用紙を排紙する排紙工程と、を含んだことを特徴とする。
【０００７】
この発明によれば、規格として規定用紙を越える領域への印刷を禁止している機種のプ
リンタにおいて、折線加工された用紙に印刷することができる。
【０００８】
また、この発明にかかる印刷方法は、上記発明において、前記折線加工された用紙が、
左カバー見返し、左表紙、背表紙、右表紙および右カバー見返しからなる印刷物のカバー
であり、前記第１の位置が、前記用紙の前記右（または左）表紙と前記右（または左）カ
バー見返しとの境界であることを特徴とする。
【０００９】
この発明によれば、一般のプリンタを用いて、印刷物のカバーの印刷をおこなうことが
でき、その際、少なくとも左表紙、背表紙、右表紙の印刷をすることができる。
【００１０】
また、この発明にかかる印刷方法は、上記発明において、前記取得工程によって取得さ
れた情報に基づいて、所定の折線加工された位置（以下「第２の位置」という）まで紙送
りをする紙送り工程を含み、前記印刷工程が、前記紙送り工程による紙送り後に、印刷を
開始することを特徴とする。
【００１１】
この発明によれば、紙送り方向後ろ側の非印刷領域にあわせて、紙送り方向前側の領域
の印刷をおこなわないようにすることができる。
【００１２】
また、この発明にかかる印刷方法は、上記発明において、前記折線加工された用紙が、
左カバー見返し、左表紙、背表紙、右表紙および右カバー見返しからなる印刷物のカバー
であり、前記第２の位置は、前記用紙の左（または右）カバー見返しと左（または右）表
紙との境界であることを特徴とする。
【００１３】
この発明によれば、一般のプリンタを用いて、印刷物のカバーの印刷をおこなうことが
でき、その際、少なくとも左表紙、背表紙、右表紙の印刷をすることができる。
【００１４】
また、この発明にかかる印刷プログラムは、上記に記載の印刷方法をコンピュータに実
行させることを特徴とする。
【発明を実施するための最良の形態】
【００１５】
以下に添付図面を参照して、この発明にかかる印刷方法および印刷プログラムの好適な
実施の形態を詳細に説明する。
【００１６】
（折線加工された用紙の内容）
図１および図２は、この発明の実施の形態にかかる折線加工された用紙の内容を示す説
明図である。図１において、折線加工された用紙（以下単に「用紙」という）１００は、
左カバー見返し１０１、左表紙１０２、背表紙１０３、右表紙１０４および右カバー見返
し１０５からなる。そして、左カバー見返し１０１と左表紙１０２との境界Ａ、左表紙１
０２と背表紙１０３の境界Ｂ、背表紙１０３と右表紙１０４の境界Ｃ、右表紙１０４と右
カバー見返し１０５との境界Ｄには、あらかじめ折線加工が施されている。
【００１７】
図１は、上記境界Ａ〜Ｄを平らに伸ばした状態を示しており、一方図２は、上記境界Ａ
〜Ｄを折線加工に基づき、用紙１００が折れ曲がった状態を示している。上記境界Ａ〜Ｄ
に折線加工を施すのは、以下の理由である。すなわち、ブックカバーなどは厚めの紙を用
いることが一般的であり、あらかじめ折線加工が施されている方が、容易かつ見た目にも
美しく本体（本などの印刷物）に装着することができるからである。
【００１８】
（ハードウエア構成）
図３は、この発明の実施の形態にかかる印刷方法を実現するハードウエア構成の一例を
示す説明図である。図３において、３００はパーソナルコンピュータなどの情報処理装置
であり、３５０は、情報処理装置３００に接続されるプリンタである。
【００１９】
情報処理装置３００は、ＣＰＵ３０１と、ＲＯＭ３０２と、ＲＡＭ３０３と、メモリ３
０４と、インタフェース（Ｉ／Ｆ）３０５と、ディスプレイ３０６と、を含む構成となっ
ている。これらの構成部３０１〜３０６は、それぞれバス３１０によって接続される。プ
リンタ３５０も、たとえばＵＳＢなどによってバス３１０を介して上記構成部３０１〜３
０６と接続される。
【００２０】
ここで、ＣＰＵ３０１は、ＲＯＭ３０２、ＲＡＭ３０３、メモリ３０４などに記憶され
たプログラムを実行することによって、プリンタ３５０の印刷制御をするとともに、警告
情報の出力（表示）制御等を含む情報処理装置３００全体を制御する。ＲＯＭ３０２は、
情報処理装置３００の基本処理プログラムを記憶している。ＲＡＭ３０３は、ＣＰＵ３０
１のワークエリアとして使用される。メモリ３０４は、各種情報を記憶する。具体的には
、たとえば、ハードディスク（ＨＤ）であり、そのかわりにあるいはＨＤに加えて、ＤＶ
Ｄ、コンパクトディスク（ＣＤ）などの着脱可能な記録媒体であってもよい。
【００２１】
また、Ｉ／Ｆ３０５は、ネットワークを介して他の情報処理装置とのデータの送受信を
司る。また、ネットワークを介して他のプリンタに接続されるようになっていてもよい。
ディスプレイ３０６は、文字、画像などを表示する。ディスプレイ３０６は、具体的には
、たとえばＣＲＴ、液晶ディスプレイ、プラズマディスプレイなどである。
【００２２】
また、プリンタ３５０は、インクジェットプリンタ、レーザービームプリンタ、インパ
クトプリンタなどの各種プリンタを含む。また、プリンタ３５０は、たとえばＵＳＢ（Ｕ
ｎｉｖｅｒｓａｌ  Ｓｅｒｉａｌ  Ｂｕｓ）などのインタフェースの規格を用いて情報処
理装置３００と接続することができる。
【００２３】
（処理の手順）
図４は、この発明の実施の形態にかかる印刷方法の処理の手順を示すフローチャートで
ある。図４のフローチャートにおいて、まず、セットされた用紙１００の用紙情報を取得
する（ステップＳ４０１）。ここで、用紙情報には、折線加工がなされたそれぞれの位置
（用紙端からの距離）、具体的には、図１に示した境界Ａ〜Ｄの位置に関する情報を含む
。用紙情報は、たとえばユーザからの用紙種類などの情報の入力によって取得することが
できる。
【００２４】
その後、印刷を開始する（ステップＳ４０２）。用紙１００の長手方向に印刷を進めて
ゆき、境界Ａ、Ｂ、Ｃを通過し、境界Ｄに達したか否かを判断する（ステップＳ４０３）
。境界Ｄに達したか否かは、ステップＳ４０１において取得した用紙情報のうちの境界Ｄ
の位置に関する情報（用紙端（左カバー見返し１０１の端部）から境界Ｄまでの距離に関
する情報）に基づいて判断する。
【００２５】
ここで、境界Ｄに達するのを待って、境界Ｄに達した場合（ステップＳ４０３：Ｙｅｓ
）は、印刷を停止する（ステップＳ４０４）。たとえ、印刷データが残っていても、すな
わち、右カバー見返し１０５の領域の印刷データがあったとしても、印刷を停止するよう
にしてもよい。図示を省略する紙送り機構を用いて用紙１００を排紙し（ステップＳ４０
５）、一連の処理を終了する。
【００２６】
図５は、この発明の実施の形態にかかる印刷方法の処理の別の手順を示すフローチャー
トである。図４にあっては、左カバー見返し１０１の領域を印刷したが、図５は、右カバ
ー見返し１０５の領域を印刷しなかったのにあわせて、左カバー見返し１０１の領域も印
刷しないようにする手順である。
【００２７】
図５のフローチャートにて、まず、図４のステップＳ４０１と同様に、セットされた用
紙１００の用紙情報を取得する（ステップＳ５０１）。ここで、用紙情報には、折線加工
がなされたそれぞれの位置（用紙端からの距離）、具体的には、図１に示した境界Ａ〜Ｄ
の位置に関する情報を含む。
【００２８】
その後、紙送りを開始する（ステップＳ５０２）。そして、用紙１００の長手方向に紙
送りを進めてゆき、境界Ａに達したか否かを判断する（ステップＳ５０３）。境界Ａに達
したか否かは、ステップＳ５０１において取得した用紙情報のうちの境界Ａの位置に関す
る情報（用紙端（左カバー見返し１０１の端部）から境界Ａまでの距離に関する情報）に
基づいて判断する。
【００２９】
ここで、境界Ａに達するのを待って、境界Ａに達した場合（ステップＳ５０３：Ｙｅｓ
）は、図４に示した、ステップＳ４０２へ移行する。それ以降は、図４で説明したとおり
である。
【００３０】
図６は、用紙に対する印刷の一例を示す説明図である。図６において、右カバー見返し
１０５の領域には印刷がなされていないのがわかる。また同様に、左カバー見返し１０１
の領域にも印刷がなされていない。ただし、左カバー見返し１０１、右カバー見返し１０
５は、製本された印刷物に装着された場合に、隠れてしまう部分であるので、印刷がされ
ていなくても支障がない。
【００３１】
以上説明したように、この発明の本実施の形態によれば、折線加工された用紙を印刷す
る際に、用紙の折線加工に関する情報を取得する取得工程（ステップＳ４０１、ステップ
Ｓ５０１）と、用紙に対して、印刷を開始するとともに、前記取得工程によって取得され
た情報に基づいて、所定の折線加工された位置（以下「第１の位置」という）で印刷を停
止する印刷工程（ステップＳ４０４）と、用紙を排紙する排紙工程（ステップＳ４０５）
と、を含むため、規格として規定用紙を越える領域への印刷を禁止している機種のプリン
タにおいて、折線加工された用紙に印刷することができる。
【００３２】
また、この発明の本実施の形態によれば、折線加工された用紙が、左カバー見返し１０
１、左表紙１０２、背表紙１０３、右表紙１０４および右カバー見返し１０５からなる印
刷物のカバーであり、前記第１の位置が、前記用紙１００の右表紙１０４と右カバー見返
し１０５との境界Ｄであるため、一般のプリンタを用いて、印刷物のカバーの印刷をおこ
なうことができ、その際、少なくとも左表紙１０２、背表紙１０３、右表紙１０４の印刷
をすることができる。
【００３３】
また、この発明の本実施の形態によれば、取得工程によって取得された情報に基づいて
、所定の折線加工された位置（以下「第２の位置」という）まで紙送りをする紙送り工程
（ステップＳ５０２）を含み、印刷工程（ステップＳ４０４）が、前記紙送り工程による
紙送り後に、印刷を開始するため、紙送り方向後ろ側（たとえば右カバー見返し１０５）
の非印刷領域にあわせて、紙送り方向前側（たとえば左カバー見返し１０１）の領域の印
刷をおこなわないようにすることができる。
【００３４】
また、この発明の本実施の形態によれば、上記発明において、前記折線加工された用紙
が、左カバー見返し１０１、左表紙１０２、背表紙１０３、右表紙１０４および右カバー
見返し１０５からなる印刷物のカバーであり、第２の位置は、用紙１００の左カバー見返
し１０１と左表紙１０２との境界Ａであるため、一般のプリンタを用いて、印刷物のカバ
ーの印刷をおこなうことができ、その際、少なくとも左表紙１０２、背表紙１０３、右表
紙１０４の印刷をすることができる。これらの折線加工がされた用紙としては、厚めの用
紙でできているブックカバーなどの印刷物のカバーに適している。
【００３５】
また、本実施の形態では、折線部分で印刷を停止するようにしたが、用紙の編集の際に
、プリンタの種類に応じて、左カバー見返し１０１、右カバー見返し１０５のそれぞれの
領域の編集を禁止するようにしてもよい。その場合は、左カバー見返し１０１、右カバー
見返し１０５には印刷データが存在しないので、折線部分（境界）を認識するまでもなく
、当該境界位置で印刷は停止する。
【００３６】
また、本実施の形態にあっては、左カバー見返し１０１側から右カバー見返し１０５側
へ印刷する例について説明したが、それとは逆に、右カバー見返し１０５側から左カバー
見返し１０１側へ印刷するようにしてもよい。その場合は、印刷を開始する位置および印
刷を停止する位置はそれに伴って反対となる。
【００３７】
また、本願発明の印刷方法および印刷プログラムは、プリンタで印刷した写真画像など
を編集・製本してオリジナルのアルバムなどを作成する製本キッドにおいて、その製本さ
れたアルバムを包むために当該製本キッドに同包されるブックカバーの印刷にも適してい
る。
【００３８】
なお、本実施の形態における印刷方法は、あらかじめ用意されたコンピュータ読み取り
可能なプログラムであってもよく、またそのプログラムをサーバーを含むパーソナルコン
ピュータやワークステーションなどのコンピュータで実行することによって実現される。
このプログラムは、ＨＤ、ＦＤ、ＣＤ−ＲＯＭ、ＭＯ、ＤＶＤなどのコンピュータで読み
取り可能な記録媒体に記録され、コンピュータによって記録媒体から読み出されることに
よって実行される。また、このプログラムは、インターネットなどのネットワークを介し
て配布することが可能な伝送媒体であってもよい。
【図面の簡単な説明】
【００３９】
【図１】実施の形態にかかる折線加工された用紙の内容を示す説明図。
【図２】実施の形態にかかる折線加工された用紙の内容を示す説明図。
【図３】実施の形態の印刷方法を実現するハードウエア構成の一例を示す説明図。
【図４】実施の形態の印刷方法の処理の手順を示すフローチャート。
【図５】実施の形態の印刷方法の処理の別の手順を示すフローチャート。
【図６】用紙に対する印刷の一例を示す説明図。
【符号の説明】
【００４０】
１００  折線加工された用紙、１０１  左カバー見返し、１０５  右カバー見返し、３
００  情報処理装置、３５０  プリンタ
【図１】
2006227968.tif 000003
【図２】
2006227968.tif 000004
【図３】
2006227968.tif 000005
【図４】
2006227968.tif 000006
【図５】
2006227968.tif 000007
【図６】
2006227968.tif 000008